(57)【特許請求の範囲】
【請求項１】
クロック機構と印字機構とを備えていて、伝票等の用紙に日時と必要な文字や記号等を印字するように構成したハンデイタイプのタイムスタンプであって、
物体の表面温度を非接触で計測することができる非接触計測手段と、計測した表面温度をその計測時刻と一緒に記憶装置に記憶せしめる温度記憶手段と、印字スイッチの操作に従って上記の印字機構を駆動して上記の記憶装置に記憶されている物体の表面温度データとその計測時刻データを印字出力する印字手段と、記憶装置に記憶した物体の表面温度データを一定時間が経過すると自動的にクリアーする温度記憶解除手段とを備えて成ることを特徴とする温度計測機能付きタイムスタンプ。
【請求項２】
物体の表面温度を印字出力するに当って、印字操作が行われた作業部所や作業員等を表わすＩＤを一緒に印字出力するように構成したことを特徴とする請求項１記載の温度計測機能付きタイムスタンプ。
【請求項３】
非接触計測手段による温度計測を行わない場合に、印字機構が現在時刻のみを印字出力するように構成したことを特徴とする請求項１記載の温度計測機能付きタイムスタンプ。
【請求項４】
記憶装置に記憶した物体の表面温度データとその計測時刻データを、外部の中央処理装置に送信することができるデータ送信手段を備えて成ることを特徴とする請求項１記載の温度計測機能付きタイムスタンプ。
【発明の詳細な説明】
【０００１】
【発明の属する技術分野】
本発明は、ハンデイ式のタイムスタンプに関するものであって、特に、温度計測機能を備えたタイムスタンプに関するものである。
【０００２】
【従来の技術】
持ち運び自在に構成したハンデイ式のタイムスタンプに付いては、従来より、例えば特開平２−３０１８８７号公報に記載の如きものが存在し、この公報に記載の「ハンデイ型タイム印字機」によれば、食料品の製造日時やその賞味期限等の設定時間を、現在の日時と一緒に目視確認可能な状態に印字出力することによって、正確な賞味制限時間を購入者等に知らせることを可能にしている。
【０００３】
一方、最近のＯ−１５７等の病原菌（細菌）による食中毒の発生原因の一つに、食品の流通過程に於ける温度管理の不備、つまり、本来冷凍・冷蔵保存すべき食品を十分な温度管理が成されないまま流通させてしまう点を上げることができ、その結果、流通過程で上記各種の病原菌が発生して食中毒を引き起してしまう問題があった。
【０００４】
そこで、これ等流通食品の表面温度を非接触式の表面温度計で計測し、この計測した温度とその計測時刻を上述したハンデイ型タイム印字機と手書きとによって伝票等の用紙に記録することにより、流通過程に於ける食品の温度管理を目視確認可能な状態にして、責任の所在を明らかにすることが考えられた。
【０００５】
尚、図６と図７は食品加工時に於ける温度と時間の各管理状況を説明したものであって、温度／時間の管理は、原材料の納入時、原材料の保管時、加熱処理時、調理済み食品の保管・配送の全ての時々に、その都度実行される仕組に成っている。
【０００６】
【発明が解決しようとする課題】
然しながら、上述した温度を計測する作業と、その計測時刻を記録する作業とは、本来同時に行われるべきものであるところ、忙しい中での出荷又は荷受け業務等が原因で、これ等の各作業をその時に同時に行わずに、いずれか一方の作業を後になって行ったり、記録を忘れてしまったりする場合がしばしばあり、また正確な記録が行われずに大凡の時刻と温度が記録されてしまうこともあって、これ等杜撰な記録が原因で食品が痛んでしまったり、食中毒が発生したりする場合があった。
【０００７】
更に、冷凍・冷蔵状態で輸送されて来た食品は、受入れた後、直ちにこれを冷凍・冷蔵保存すべきところ、そのまま常温状態のまま長い時間放置するような場合もしばしば見受けられ、その結果、細菌が増殖されて食中毒の原因を作ってしまう場合もあった。
【０００８】
従って本発明の技術的課題は、例えば冷凍保存又は冷蔵保存される商品の流通過程での温度管理、即ち、出荷時及び受入れ時から商品保管に至る迄の流通過程での商品の表面温度の計測結果とその計測時刻を、同時に、且つ、自動的に記録することができるタイムスタンプを提供することである。
【０００９】
【課題を解決するための手段】
上記の技術的課題を解決するために本発明で講じた手段は以下の如くである。
【００１０】
クロック機構と印字機構とを備えていて、伝票等の用紙に日時と必要な文字や記号等を印字するように構成したハンデイタイプのタイムスタンプであって、
【００１１】
（１）  物体の表面温度を非接触で計測することができる非接触計測手段と、計測した表面温度をその計測時刻と一緒に記憶装置に記憶せしめる温度記憶手段と、印字スイッチの操作に従って上記の印字機構を駆動して上記の記憶装置に記憶されている物体の表面温度データとその計測時刻データを印字出力する印字手段と、記憶装置に記憶した物体の表面温度データを一定時間が経過すると自動的にクリアーする温度記憶解除手段とを備えることを特徴としている。（請求項１）
【００１２】
（２）  物体の表面温度を印字出力するに当って、印字操作が行われた作業部所や作業員等を表わすＩＤを一緒に印字出力するように構成することを特徴としている。（請求項２）
【００１３】
（３）  非接触計測手段による温度計測を行わない場合に、印字機構が現在時刻のみを印字出力するように構成することを特徴としている。（請求項３）
【００１４】
（４）  記憶装置に記憶した物体の表面温度データとその計測時刻データを、外部の中央処理装置に送信することができるデータ送信手段を備えることを特徴としている。（請求項４）
【００１５】
上記（１）で述べた請求項１に係る手段によれば、物体の表面温度を非接触によって衛生的に測定した後、その測定温度を測定時刻と一緒に物体の表面又は添付されている伝票等に印字出力することができるため、冷凍食品のように温度管理が不可欠な商品の出荷時、及び、受け入れ時等に於ける温度管理を、１台のタイムスタンプを用いて極めて簡単に、且つ、正確に行うことができると共に、流通過程での温度管理を衛生的に行うことを可能にする。
【００１６】
物体の表面温度を測定した後、一定の時間が経過すると、物体の温度が変化して印字出力された記録が実体を示さなくなる。しかし、上記（１）で述べた請求項１に係る手段によれば、一定時間が経過すると記憶装置に記憶されている表面温度データ、即ち、適正を欠くことに至った古い表面温度データがクリアーされて、この温度データを印字出力するには再び温度測定を行う必要が生じるため、常に最新の正確な表面温度データを得ることを可能にする。
【００１７】
上記（２）で述べた請求項２に係る手段によれば、物体の表面温度データと一緒に作業員等のＩＤを印字出力するため、温度測定の責任の所在を常に明らかにすることを可能にする。
【００１８】
上記（３）で述べた請求項３に係る手段によれば、温度計測を行わない場合は現在時刻のみを印字する機能、要するに、通常のタイムスタンプとしての機能を発揮するため、優れた汎用性を発揮することを可能にする。
【００１９】
上記（４）で述べた請求項４に係る手段によれば、記憶装置に記憶した物体の表面温度データとその計測時刻データの夫々を、中央処理装置（ホストコンピュータ等）へ送信して、時間の経過による温度の変化や、流通部所や加工部所等に於ける温度の変化と言った、各種データの演算と採取を可能にする。
【００２０】
以上の如くであるから、上記（１）〜（４）の手段によって上述した技術的課題を解決して、前記従来の技術の問題点を解消することができる。
【００２１】
【発明の実施の形態】
以下に、上述した本発明に係る温度計測機能付きタイムスタンプの実施の形態を図面と共に説明すると、図１と図２は本発明に係るタイムスタンプの側面図と正面図であって、これ等の図面に於いて夫々符号１で全体的に示したのは持ち運び自在なハンデイタイプに形成したタイムスタンプの機体で、この機体１には以下に述べる如き各部材が設けられている。
【００２２】
即ち、図中２は時刻や計測した物体の表面温度と言った必要なデータを表示する表示器、３はプリント中に点灯するプリント用ＬＥＤ、４Ａと４Ｂは機体１の底面の前後に間隔をあけて設けたレーザービーム射出口とその受光部であって、これ等レーザービーム射出口４Ａと受光部４Ｂとによって、物体の表面温度を非接触で計測することができる非接触温度計が構成されている。
【００２３】
更に図中、５Ｆは同じく機体１の底面に設けた印字機構を構成するプリントヘッド（サーマルヘッド）、６Ｒはこのプリントヘッド５Ｆに掛渡した印字リボン、６はそのリボンカセットを示し、また、符号７で全体的に示したのはスイッチ装置であって、これは印字スイッチ７Ａと温度測定スイッチ７ＢとＨＯＬＤ解除スイッチ７Ｃと設定スイッチ７Ｄとによって構成されており、また、８はレーザー点灯表示ＬＥＤを示す。
【００２４】
図３は本発明に係る温度計測機能付きタイムスタンプの電気的構成を説明したブロック図であって、制御部の中心を成すＣＰＵ１０には、上述した表示器２を制御する表示器制御部２Ｔと、上述した非接触温度計を構成するレーザー照射部４Ａ及び受光部４Ｂを制御する温度制御部４と、上述したプリントヘッド５Ｆ及びホームポジションセンサー５Ｈとヘッド移動モーター５Ｍとリボン送りモーター６Ｍから成るプリンターブロック５を制御する印字制御部５Ｔ、並びに、モーター制御部５Ｋが夫々接続されている。
【００２５】
更にこのＣＰＵ１０には、上述した印字スイッチ７Ａと温度測定スイッチ７ＢとＨＯＬＤ解除スイッチ７Ｃと設定スイッチ７Ｄから成るスイッチ装置７と、ＲＯＭとＲＡＭから成るメモリー１１と、クロック機構を構成する時計部１２と、外部Ｉ／Ｆ１３と、ＡＣアダプター１４とバッテリー１５Ｔを接続した電源ブロック１５が接続されていて、夫々がＣＰＵ１０の監視の下でメモリー１１に格納されているシステムプログラムに従って制御作動される仕組に成っている。
【００２６】
また、上記のメモリー１１のＲＯＭには、前述した特許請求の範囲の請求項１、２及び５に記載されている各種の手段、即ち、上述した非接触温度計を用いて物体の表面を非接触で計測するための非接触計測手段と、計測した表面温度をその計測時刻と一緒にメモリー１１のＲＡＭの主エリアと一時記憶エリアの双方に記憶する温度記憶手段と、印字スイッチ７ＡのＯＮに従ってプリンターブロック５を作動して、上記ＲＡＭに記憶した表面温度データと計測時刻データを印字出力するための印字手段と、メモリー１１（ＲＡＭ）の一時記憶エリアに記憶されている表面温度データを一定時間経過後にクリアーする温度記憶解除手段、及び、同じくメモリー１１（ＲＡＭ）の主エリアに記憶した各データを、必要に応じて外部の中央処理装置（ホストコンピュータ等）に送信するデータ送信手段を実行するための各種のプログラムが格納されている。
【００２７】
更に上記のメモリー１１のＲＯＭには、同じく特許請求の範囲の請求項３と４に記載した印字出力の処理手段、即ち、物体の表面温度と一緒にＩＤを印字出力する一方、温度計測が行われていない場合に現在時刻のみを印字出力するための各プログラムが格納されている。
【００２８】
次に、上述した本発明に係る温度計測機能付きタイムスタンプによる印字処理の手順を、図４に示したフローチャートに従って説明する。
【００２９】
始めのステップＳ１で印字スイッチ７ＡがＯＮされたか否かが判定され、ＯＮされた場合はステップＳ３に進んで通常のタイムスタンプの機能、即ち、プリンターブロック５による時刻印字の機能を発揮するが、ＯＮされていない場合は次のステップＳ２に進んで温度測定する物体（品物）が選択され、且つ、この選択に関連して温度測定スイッチ７ＢがＯＮされたか否かが判定されて、ＯＮされた場合はステップＳ４に進んで非接触によって測定した物体の表面温度を表示器２に表示してステップＳ５に進むが、ＯＮされていない場合は再びステップＳ１に戻って上述した処理を繰返す。
【００３０】
ステップＳ５では、ステップＳ４で測定した物体の表面温度とその測定時刻をメモリー１１（ＲＡＭ）の主エリアと一時記憶エリアの双方に記憶してＨＯＬＤし、次いで、ステップＳ６に進んでＨＯＬＤ解除タイマーをＯＮした後、ステップＳ７に進んで印字スイッチ７ＡのＯＮ／ＯＦＦが判定され、ＯＮされた場合はステップＳ１１に進んでメモリー１１にＨＯＬＤしてある測定温度とその時刻データを、プリンターブロック５を作動して物体の表面、又は、伝票等の用紙に印字出力せしめ、次いで、ステップＳ１３に進んでメモリー１１のＨＯＬＤを解除して、メモリー１１（ＲＡＭ）の一時記憶エリアに記憶されている測定温度と時刻の各データを消去した後、ステップＳ１４に進んで上記ステップＳ６でＯＮしたＨＯＬＤ解除タイマーをＯＦＦにして、再びステップＳ１に戻る。
【００３１】
また、上述したステップＳ７で印字スイッチ７ＡがＯＮされない場合は、ステップＳ８に進んで温度測定スイッチ７ＢのＯＮ／ＯＦＦが判定され、ＯＮされた場合はステップＳ１２に進んでＨＯＬＤ解除タイマーをＯＦＦにした後、再びステップＳ４に戻って測定をやり直すが、ＯＮされない場合は次のステップＳ９に進んでＨＯＬＤ解除スイッチ７ＣのＯＮ／ＯＦＦが判定される。
【００３２】
上記のステップＳ９でＨＯＬＤ解除スイッチ７ＣがＯＮされた場合には、前述したステップＳ１３に進んでＨＯＬＤが解除されるが、ＯＮされない場合はステップＳ１０に進んでＨＯＬＤ解除タイマーがＯＦＦになったか否かが判定され、ＯＦＦになった場合は（一定時間経過後は自動的にＯＦＦになる）上記のステップＳ１３に進んでＨＯＬＤが解除され、また、ＯＦＦにならない場合は温度測定したのに印字出力しない状態のまま、上記のステップＳ７に戻って処理を繰返す。
【００３３】
尚、図５は本発明の全体を明示した構成図である。
【００３４】
【発明の効果】
以上述べた次第で、本発明に係る温度計測機能付きタイムスタンプによれば、物品の表面温度を非接触で測定し、その測定温度と測定時刻を物品自身、又は、伝票等の用紙に印字出力することができるため、物品の出荷時や受け入れ時、及び、各種の処理（調理）を施した時やその保管時と言った要所要所での温度管理とその責任の所在を明確にして、衛生管理を徹底できる利点を発揮できるものであって、１台のタイムスタンプで非接触による温度測定と、その測定温度及び時刻の印字を行うことができる点、及び、一定時間が経過すると測定データを自動的に消去して常に新鮮なデータに書き替えるようにした点と相俟って、図６、図７に示したような冷凍・冷蔵食品の納入から保管に至るまでの温度管理や、食堂（レストラン）や各種宅配店の調理から配達までの温度管理等に使用することにより、品質管理上優れた利点を発揮することができる。
【図面の簡単な説明】
【図１】本発明に係る温度計測機能付きタイムスタンプの側面図である。
【図２】同じく正面図である。
【図３】本発明の電気的構成を説明したブロック図である。
【図４】本発明による印字処理の手順を説明したフローチャートである。
【図５】本発明の全体を明示した構成図である。
【図６】食品加工の温度と時間の管理の状況を工程順に説明した工程経路図である。
【図７】図６の続きを説明した工程経路図である。
【符号の説明】
１                タイムスタンプの機体
２                表示器
４Ａ              レーザー照射部
４Ｂ              受光部
５                プリンターブロック
５Ｆ              プリントヘッド
７                スイッチ装置
７Ａ              印字スイッチ
７Ｂ              温度測定スイッチ
７Ｃ              ＨＯＬＤ解除スイッチ
１１              メモリー
１２              時計部
１３              外部Ｉ／Ｆ
１４              ＡＣアダプター
【図１】
0003598224.tif 000002
【図２】
0003598224.tif 000003
【図３】
0003598224.tif 000004
【図４】
0003598224.tif 000005
【図５】
0003598224.tif 000006
【図６】
0003598224.tif 000007
【図７】
0003598224.tif 000008